(57)【特許請求の範囲】
【請求項１】
用紙を積載する給紙トレイを装置本体に保持して給紙を行う給紙装置において、用紙を積載して装置本体に保持される給紙トレイと、上記給紙トレイ内に積載された用紙を給紙位置に上昇する底板と、上記底板で給紙位置へ上昇する用紙の、用紙搬送方向と直交する積載位置を規制する規制部材の規制面と、上記規制面側から用紙の積載面側へ積載用紙の最大積載高さより上で出没して積載用紙の端部カーリングを押さえるカール押さえ手段とからなることを特徴とする給紙装置。
【請求項２】
請求項１に記載の給紙装置において、カール押さえ手段は、積載される用紙とカール押さえ手段の当接部が当接することにより、規制面側から用紙の積載される側に出没するように出没駆動されることを特徴とする給紙装置。
【請求項３】
請求項１又は２に記載の給紙装置において、カール押さえ手段は、積載される用紙の端部のカーリングを押さえる方向に付勢する付勢手段を有することを特徴とする給紙装置。
【請求項４】
請求項１、２又は３に記載の給紙装置において、カール押さえ手段は、積載される用紙のセット時に、当接部に当接する積載される用紙の出没駆動により、規制面と同一面になるように回動する回動爪を有することを特徴とする給紙装置。
【請求項５】
請求項４に記載の給紙装置において、回動爪は、回動軸と付勢バネとからなることを特徴とする給紙装置。
【請求項６】
用紙を積載する給紙トレイを装置本体に保持して給紙を行う給紙装置にして、用紙を積載して装置本体に保持される給紙トレイと、上記給紙トレイ内に積載された用紙を給紙位置に上昇する底板と、用紙搬送方向と直交する用紙の積載位置を規制する規制部材の規制面と、上記規制面側から用紙の積載面側へ積載用紙の最大積載高さより上で出没して積載用紙の端部カーリングを押さえるカール押さえ手段とからなる給紙装置において、
カール押さえ手段は、積載される用紙のセット時に、当接部に当接する積載される用紙の出没駆動により、規制面と同一面になるように上記規制面の垂直方向に揺動する揺動爪を有することを特徴とする給紙装置。
【請求項７】
請求項６に記載の給紙装置において、揺動爪は、揺動部材と付勢バネとからなることを特徴とする給紙装置。
【請求項８】
用紙を積載する給紙トレイを装置本体に保持して給紙を行う給紙装置にして、用紙を積載して装置本体に保持される給紙トレイと、上記給紙トレイ内に積載された用紙を給紙位置に上昇する底板と、用紙搬送方向と直交する用紙の積載位置を規制する規制部材の規制面と、上記規制面側から用紙の積載面側へ積載用紙の最大積載高さより上で出没して積載用紙の端部カーリングを押さえるカール押さえ手段とからなる給紙装置において、
カール押さえ手段は、積載される用紙のセット時に、当接部に当接する積載される用紙の出没駆動により、規制面と同一面になるように回動しながら上記規制面の上下方向に移動する回動移動爪を有することを特徴とする給紙装置。
【請求項９】
請求項８に記載の給紙装置において、回動移動爪は、一体の回動移動軸と、上記回動移動軸が嵌合して上下方向に移動する溝とからなることを特徴とする給紙装置。
【請求項１０】
電子写真方式における画像担持体上に形成される静電潜像を顕像化したトナー像を被転写体に転写して画像を形成する画像形成装置において、形成画像を担持する画像担持体と、上記画像担持体上に形成された静電潜像を顕像化してトナー像を形成する現像手段と、上記現像手段で形成されたトナー像を被転写体に転写する転写手段と、上記転写手段の転写位置に被転写体を給送する請求項１乃至９に記載の給紙装置とからなることを特徴とする画像形成装置。
【発明の詳細な説明】
【０００１】
【発明の属する技術分野】
本発明は、給紙装置及びそれからなる画像形成装置に関し、詳しくは、用紙を積載する給紙トレイを装置本体に保持して給紙を行う給紙装置及びそれからなる電子写真方式における画像担持体上に形成される静電潜像を顕像化したトナー像を被転写体に転写して画像を形成する複写機、ファクシミリ装置、プリンターあるいはこれらの複合機等の画像形成装置に関する。
【０００２】
【従来の技術】
装置本体に出入自在に保持されるトレイに積載した用紙がカールした場合には、用紙がガイド板等と干渉してジャムの発生、あるいは、用紙のカールによるサイドフェンスの保持力低下によるスキューの発生等の不具合が給紙装置及びそれからなる画像形成装置に生じていた。
図９において、こような不具合を解消するために、給紙トレイ１０１内に積載される用紙（Ｐ）を給紙位置に上昇する底板１０２で給紙位置に上昇する用紙（Ｐ）の積載位置を規制する規制部材１０３の規制面１０３ａ側に回動自在に設けられたコーナ爪１０４で積載される用紙（Ｐ）の端部カーリングを押さえる給紙装置１００は公知である（特開平９−１７５６７７号の公報を参照）。
このコーナ爪１０４は、積載される用紙（Ｐ）の最上面を押さえる突出する位置に配置されているために、給紙トレイ１０１内に積載する用紙をセットする際に、操作の障害となるという不具合が生じていた。
このような操作の障害の不具合を解消するために、積載される用紙（Ｐ）の端部カーリングを押さえる部材を装置本体側に配置することも提案されている（特開平６−１７１７８６号の公報を参照）。
然し、積載される用紙（Ｐ）の端部カーリングを押さえる部材を装置本体側に配置する構成は、装置が複雑でコスト高になるという不具合が生じていた。
従って、従来の給紙装置及びそれからなる画像形成装置における、用紙搬送上の不具合を防止するための、積載される用紙の端部カーリングを押さえる部材が配置されているために、積載する用紙をセットする際に、その部材を避けて積載する用紙をセットするために操作性が悪く、積載する用紙をセットする荷重が加わるその部材が破損する等の操作の障害となり又は装置が複雑でコスト高になると言う不具合が生じていた。
【０００３】
【発明が解決しようとする課題】
前述した従来の給紙装置及びそれからなる画像形成装置における、用紙搬送上の不具合を防止するための、積載される用紙の端部カーリングを押さえるカール押さえ手段が配置されているために、積載する用紙をセットする際に、そのカール押さえ手段を避けて積載する用紙をセットするために操作性が悪く、積載する用紙をセットする荷重が加わるそのカール押さえ手段が破損する等の操作の障害となり又は装置が複雑でコスト高になると言う問題が生じていた。
そこで本発明の課題は、このような問題点を解決するものである。即ち、用紙搬送上の不具合を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を自動的に排除する簡単な構造で低コストの給紙装置及びそれからなる画像形成装置を提供することを目的とする。
【０００４】
【課題を解決するための手段】
上記目的を達成するために、請求項１の本発明は、用紙を積載する給紙トレイを装置本体に保持して給紙を行う給紙装置において、用紙を積載して装置本体に保持される給紙トレイと、上記給紙トレイ内に積載された用紙を給紙位置に上昇する底板と、上記底板で給紙位置へ上昇する用紙の、用紙搬送方向と直交する積載位置を規制する規制部材の規制面と、上記規制面側から用紙の積載面側へ積載用紙の最大積載高さより上で出没して積載用紙の端部カーリングを押さえるカール押さえ手段とからなる給紙装置であることを最も主要な特徴とする。請求項２の本発明は、請求項１に記載の給紙装置において、カール押さえ手段は、積載される用紙とカール押さえ手段の当接部が当接することにより、規制面側から用紙の積載される側に出没するように出没駆動されることを主要な特徴とする。請求項３の本発明は、請求項１又は２に記載の給紙装置において、カール押さえ手段は、積載される用紙の端部のカーリングを押さえる方向に付勢する付勢手段を有する給紙装置であることを主要な特徴とする。請求項４の本発明は、請求項１、２又は３に記載の給紙装置において、カール押さえ手段は、積載される用紙のセット時に、当接部に当接する積載される用紙の出没駆動により、規制面と同一面になるように回動する回動爪を有する給紙装置であることを主要な特徴とする。請求項５の本発明は、請求項４に記載の給紙装置において、回動爪は、回動軸と付勢バネとからなる給紙装置であることを主要な特徴とする。請求項６の本発明は、用紙を積載する給紙トレイを装置本体に保持して給紙を行う給紙装置にして、用紙を積載して装置本体に保持される給紙トレイと、上記給紙トレイ内に積載された用紙を給紙位置に上昇する底板と、用紙搬送方向と直交する用紙の積載位置を規制する規制部材の規制面と、上記規制面側から用紙の積載面側へ積載用紙の最大積載高さより上で出没して積載用紙の端部カーリングを押さえるカール押さえ手段とからなる給紙装置において、カール押さえ手段は、積載される用紙のセット時に、当接部に当接する積載される用紙の出没駆動により、規制面と同一面になるように上記規制面の垂直方向に揺動する揺動爪を有する給紙装置であることを主要な特徴とする。請求項７の本発明は、請求項６に記載の給紙装置において、揺動爪は、揺動部材と付勢バネとからなる給紙装置であることを主要な特徴とする。請求項８の本発明は、用紙を積載する給紙トレイを装置本体に保持して給紙を行う給紙装置にして、用紙を積載して装置本体に保持される給紙トレイと、上記給紙トレイ内に積載された用紙を給紙位置に上昇する底板と、用紙搬送方向と直交する用紙の積載位置を規制する規制部材の規制面と、上記規制面側から用紙の積載面側へ積載用紙の最大積載高さより上で出没して積載用紙の端部カーリングを押さえるカール押さえ手段とからなる給紙装置において、カール押さえ手段は、積載される用紙のセット時に、当接部に当接する積載される用紙の出没駆動により、規制面と同一面になるように回動しながら上記規制面の上下方向に移動する回動移動爪を有する給紙装置であることを主要な特徴とする。請求項９の本発明は、請求項８に記載の給紙装置において、回動移動爪は、一体の回動移動軸と、上記回動移動軸が嵌合して上下方向に移動する溝とからなる給紙装置であることを主要な特徴とする。請求項１０の本発明は、電子写真方式における画像担持体上に形成される静電潜像を顕像化したトナー像を被転写体に転写して画像を形成する画像形成装置において、形成画像を担持する画像担持体と、上記画像担持体上に形成された静電潜像を顕像化してトナー像を形成する現像手段と、上記現像手段で形成されたトナー像を被転写体に転写する転写手段と、上記転写手段の転写位置に被転写体を給送する請求項１乃至９に記載の給紙装置とからなる画像形成装置であることを最も主要な特徴とする。
【０００５】
【作用】
給紙装置及びそれからなる画像形成装置は、請求項１においては、装置本体に保持される給紙トレイ内の底板で給紙位置へ上昇する用紙の、用紙搬送方向と直交する積載位置を規制する規制部材の規制面側から用紙の積載面側へ積載用紙の最大積載高さより上で出没するカール押さえ手段で積載された用紙の端部カーリングを押さえて給紙するようにして、用紙搬送上の不具合の発生を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を排除する低コストの給紙装置を提供することが出来るようにする。請求項２において、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段で積載された用紙の端部カーリングを押さえると共にカール押さえ手段は当接部に積載される用紙の当接により出没駆動されて給紙するようにして、用紙搬送上の不具合の発生を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を自動的に排除する低コストの給紙装置を提供することが出来るようにする。請求項３においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段で積載された用紙の端部カーリングを押さえると共にカール押さえ手段は付勢手段により積載される用紙の端部のカーリングを押さえる方向に付勢して給紙するようにして、用紙搬送上の不具合の発生を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を自動的に排除する低コストの給紙装置を提供することが出来るようにする。請求項４においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の積載される用紙のセット時に当接部に当接する積載される用紙の出没駆動により規制面と同一面になるように回動する回動爪で積載された用紙の端部カーリングを押さえて給紙するようにして、用紙搬送上の不具合の発生を防止するための積載される用紙の端部カーリングを押さえるカール押さえ手段の回動爪が給紙トレイ上に配置されても、積載する用紙をセットする際のそのカール押さえ手段の回動爪を避けたりそのカール押さえ手段の回動爪の破損等の操作の障害を自動的に排除する低コストの給紙装置を提供することが出来るようにする。
【０００６】
請求項５においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の積載される用紙のセット時に当接部に当接する積載される用紙の出没駆動により規制面と同一面になるように回動する回動爪で積載された用紙の端部カーリングを押さえると共に回動爪は回動軸と付勢バネからなり回動して給紙するようにして、用紙搬送上の不具合の発生を防止するための積載される用紙の端部カーリングを押さえるカール押さえ手段の回動爪が給紙トレイ上に配置されても、積載する用紙をセットする際のそのカール押さえ手段の回動爪を避けたり、そのカール押さえ手段の回動爪の破損等の操作の障害を自動的に排除する簡単な構造で低コストの給紙装置を提供することが出来るようにする。
請求項６においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の揺動爪の積載される用紙のセット時に当接部に当接する積載される用紙の出没駆動により規制面と同一面になるように揺動する揺動爪で積載された用紙の端部カーリングを押さえて給紙するようにして、用紙搬送上の不具合の発生を防止するための積載される用紙の端部カーリングを押さえるカール押さえ手段の揺動爪が給紙トレイ上に配置されても、積載する用紙をセットする際のそのカール押さえ手段の揺動爪を避けたりそのカール押さえ手段の揺動爪の破損等の操作の障害を自動的に排除するだけでなく、カール押さえ手段の揺動爪の直下まで用紙の積載が可能となり小型で簡単な構造で低コストの給紙装置を提供することが出来るようにする。請求項７においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の揺動爪の積載される用紙のセット時に当接部に当接する積載される用紙の出没駆動により規制面と同一面になるように回動する揺動爪で積載された用紙の端部カーリングを押さえると共に揺動爪は揺動部材と付勢バネからなり揺動して給紙するようにして、用紙搬送上の不具合の発生を防止するための積載される用紙の端部カーリングを押さえるカール押さえ手段の揺動爪が給紙トレイ上に配置されても、積載する用紙をセットする際のそのカール押さえ手段の揺動爪を避けたりそのカール押さえ手段の揺動爪の破損等の操作の障害を自動的に排除するするだけでなく、カール押さえ手段の揺動爪の直下まで用紙の積載が可能となり小型で簡単な構造で低コストの給紙装置を提供することが出来るようにする。
【０００７】
請求項８においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の回動移動爪の積載される用紙のセット時に当接部に当接する積載される用紙の出没駆動により規制面と同一面になるように回動すると共に上下に移動する回動移動爪で積載された用紙の端部カーリングを押さえて給紙するようにして、用紙搬送上の不具合の発生を防止するための積載される用紙の端部カーリングを押さえるカール押さえ手段の回動移動爪が給紙トレイ上に配置されても、積載する用紙をセットする際のそのカール押さえ手段の回動移動爪を避けたりそのカール押さえ手段の回動移動爪の破損等の操作の障害を自動的に排除するだけでなく、カール押さえ手段の回動移動爪を付勢する付勢バネ等が不要となり、更に、カール押さえ手段の回動移動爪の直下まで用紙の積載が可能となり小型で簡単な構造で低コストの給紙装置を提供することが出来るようにする。
請求項９においては、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の回動移動爪の積載される用紙のセット時に当接部に当接する積載される用紙の出没駆動により規制面と同一面になるように回動移動爪で積載された用紙の端部カーリングを押さえると共に回動移動爪は回動移動軸と溝からなり回動移動軸を中心に回動すると共に回動移動軸が溝に嵌合して上下に移動して給紙するようにして、用紙搬送上の不具合の発生を防止するための積載される用紙の端部カーリングを押さえるカール押さえ手段の回動移動爪が給紙トレイ上に配置されても、積載する用紙をセットする際のそのカール押さえ手段の回動移動爪を避けたりそのカール押さえ手段の回動移動爪の破損等の操作の障害を自動的に排除するだけでなく、カール押さえ手段の回動移動爪を付勢する付勢バネ等が不要となり部品数も少なくなり、更に、カール押さえ手段の揺動爪の直下まで用紙の積載が可能となり小型で簡単な構造で低コストの給紙装置を提供することが出来るようにする。
請求項１０においては、形成画像を担持する画像担持体上に形成された静電潜像を顕像化してトナー像を形成する現像手段で形成されたトナー像を被転写体に転写する転写手段の転写位置に請求項１乃至９に記載の給紙装置により被転写体の転写紙を給紙して画像を形成するようにして、被転写体の転写紙搬送上の不具合を防止するための積載される転写紙の端部カーリングを押さえるカール押さえ手段が給紙トレイに配置されても、積載する被転写体の転写紙をセットする際のカール押さえ手段を避けたり、カール押さえ手段の破損等の操作の障害を自動的に排除する簡単な構造で低コストの給紙装置からなる画像形成装置を提供することが出来るようにする。
【０００８】
【発明の実施の形態】
次に、本発明の実施の形態を図面を参照して詳細に説明する。
図１は本発明の一実施形態に係る給紙装置の要部構成図であり、給紙トレイ１は、左端をエンドフエンス７で、前後端を規制部材３の規制面３ａで位置が規制される用紙（Ｐ）を底板２に積載して、給紙装置０の装置本体０ａの装着口０ｂに図示の矢印Ａ方向に出入自在に保持されるようになっている。
上記底板２は、図示しない昇降機構によって、上記給紙トレイ１内に積載される用紙（Ｐ）を図示の給紙位置に上昇するようになっている。
カール押さえ手段４の回動爪４ａは、図示のように給紙位置に上昇する積載される用紙（Ｐ）の最大積載高さより上部に、上記規制部材３の上記規制面３ａから出没して、積載された用紙（Ｐ）の端部カーリングを押さえて、用紙（Ｐ）が図示しないガイド板等と干渉してジャムの発生、保持力低下によるスキューの発生等を防止するようになっている。
上記カール押さえ手段４の上記回動爪４ａによって端部カーリングが押さえられた用紙（Ｐ）は、図示しない駆動源で図示の矢印Ｂ方向に回転するフイードローラ８で図示の矢印Ｃ方向に送り出され、分離板９によって上記フイードローラ８で複数枚送り出される用紙（Ｐ）を１枚ずつ分離するようになっている。
【０００９】
図２は要部斜視図であり、前後端の上記規制部材３の上記規制面３ａの前端に取り付けられる上記カール押さえ手段４の上記回動爪４ａは、回動軸４ａ1を中心に図示の矢印Ｄ方向に回動自在に取付けられ、更に、付勢手段６の付勢バネ６ａにより付勢されて図示の上記規制面３ａに対して略直角の位置で、積載された用紙（Ｐ）の端部カーリングを押さえるようになっている。
積載する用紙（Ｐ）をセットする際は、上記カール押さえ手段４の上記回動爪４ａは、上方の図示の矢印Ｅ方向から積載する用紙（Ｐ）が当接部５の当接面５ａに当接により出没駆動されて、上記回動軸４ａ1を中心に図示の矢印Ｄ方向に回動して、前後端の上記規制部材３の上記規制面３ａの用紙（Ｐ）の積載側の窪み３ｂに入り込み、前後端の上記規制部材３の上記規制面３ａの用紙（Ｐ）積載面は略平面となる。
図３は要部縦断面図であり、積載する用紙（Ｐ）が、上記カール押さえ手段４の上記回動爪４ａを通過する間は、積載する用紙（Ｐ）により上方の図示の矢印Ｅ方向から積載する用紙（Ｐ）が上記当接部５の上記当接面５ａに当接により出没駆動されて、上記回動軸４ａ1を中心に図示の矢印Ｄ方向に回動して、前後端の上記規制部材３の上記規制面３ａの用紙（Ｐ）の積載側の上記窪み３ｂに入り込み、前後端の上記規制部材３の上記規制面３と略同一平面まで回動して積載する用紙（Ｐ）の通過を妨げることがない。
【００１０】
図４において、用紙（Ｐ）が上記底板２に積載された状態では、用紙（Ｐ）は上記カール押さえ手段４の上記回動爪４ａを通過するため、上記カール押さえ手段４の上記回動爪４ａに加わる外力が無くなるため、上記カール押さえ手段４の上記回動爪４ａは上記付勢手段６の上記付勢バネ６ａにより付勢されて図示の上記規制面３ａに対して略直角の位置に復帰する。
その後、図示しない駆動手段で駆動される上記底板２により積載された用紙（Ｐ）は給紙位置まで上昇することにより、上記カール押さえ手段４の上記回動爪４ａは、積載された用紙（Ｐ）の最上面に対し適切に位置して、用紙（Ｐ）のカールによる不具合の発生を防止するようになっている。
従って、用紙（Ｐ）搬送上の不具合の発生を防止するための積載される用紙（Ｐ）の端部カーリングを押さえる上記カール押さえ手段４の上記回動爪４ａが上記給紙トレイ１に配置されても、積載する用紙（Ｐ）をセットする際の上記カール押さえ手段４の上記回動爪４ａを避けたり、上記カール押さえ手段４の上記回動爪４ａの破損等の操作の障害を自動的に排除する簡単な構造で低コストの上記給紙装置０を提供することが出来るようになった。
【００１１】
図５は本発明の他の実施形態に係る要部構成図であり、前後端の上記規制部材３の上記規制面３ａの前端に取り付けられる上記カール押さえ手段４の揺動爪４ｂと一体の揺動部材４ｂ1は、上記規制面３ａに対して略垂直に上記規制部材３の貫通孔３ｃを貫通して、上記カール押さえ手段４の上記揺動爪４ｂは、図示の矢印Ｆ方向に揺動自在に取付けられている。
上記付勢手段６の付勢バネ６ｂは、一方の端部を上記規制部材３に固定され、他方の端部を上記カール押さえ手段４の上記揺動爪４ｂと一体の上記揺動部材４ｂ1を用紙（Ｐ）の積載方向に付勢するようになっている。
積載する用紙（Ｐ）をセットする際は、上記カール押さえ手段４の上記揺動爪４ｂは、上方の図示の矢印Ｇ方向から積載する用紙（Ｐ）が上記当接部５の当接面５ｂの斜面に当接により出没駆動されて、図示の矢印Ｈ方向に揺動して、前後端の上記規制部材３の上記規制面３ａの上記貫通孔３ｃに入り込み、前後の上記規制部材３の上記規制面３ａと略同一平面まで揺動して積載する用紙（Ｐ）の通過を妨げることがない。
従って、用紙（Ｐ）搬送上の不具合の発生を防止するための積載される用紙（Ｐ）の端部カーリングを押さえる上記カール押さえ手段４の上記揺動爪４ｂが上記給紙トレイ１に配置されても、積載する用紙（Ｐ）をセットする際の上記カール押さえ手段４の上記揺動爪４ｂを避けたり、上記カール押さえ手段４の上記揺動爪４ｂの破損等の操作の障害を自動的に排除するだけでなく、上記カール押さえ手段４の上記揺動爪４ｂの直下まで用紙（Ｐ）の積載が可能となり小型で簡単な構造で低コストの上記給紙装置０を提供することが出来るようになった。
【００１２】
図６は本発明の他の実施形態の要部構成図であり、前後の上記規制部材３の上記規制面３ａの前端に取り付けられる上記カール押さえ手段４のＬ字形状の回動移動爪４ｃは、上記規制部材３に設けられた溝６ｃに嵌合する回動移動軸４ｃ1を中心に、図示の矢印Ｉ方向に回動すると共に上記規制面３ａの上下の図示の矢印Ｊ方向に移動自在に取付けられている。
積載する用紙（Ｐ）をセットする際は、上記カール押さえ手段４の上記回動移動爪４ｃは、上方の図示の矢印Ｋ方向から積載する用紙（Ｐ）が上記当接部５の当接面５ｃに当接により出没駆動されて、上記回動移動軸４ｃ1を中心に図示の矢印Ｌ方向に回動すると共に図示の矢印Ｍ方向に移動して、前後端の上記規制部材３の上記規制面３ａの切り込み３ｄに入り込み、前後の上記規制部材３の上記規制面３ａと略同一平面となり積載する用紙（Ｐ）の通過を妨げることがない。
【００１３】
図７は図６の実施形態の縦断面図であり、用紙（Ｐ）が上記底板２面上に積載された状態では、用紙（Ｐ）は上記カール押さえ手段４の上記回動移動爪４ｃを通り抜けるため、上記カール押さえ手段４の上記回動移動爪４ｃは再び前後の上記規制部材３の上記規制面３ａに略垂直位置に復帰する。
その後、上記底板２により用紙（Ｐ）は給紙適正位置まで上昇することにより、上記カール押さえ手段４の上記回動移動爪４ｃは、上記回動移動軸４ｃ1の上記溝６ｃ内の移動で、用紙（Ｐ）の最上面に自重にて当接するようになっている。
従って、用紙（Ｐ）搬送上の不具合の発生を防止するための積載される用紙（Ｐ）の端部カーリングを押さえる上記カール押さえ手段４の上記回動移動爪４ｃが上記給紙トレイ１に配置されても、積載する用紙（Ｐ）をセットする際の上記カール押さえ手段４の上記回動移動爪４ｃを避けたり、上記カール押さえ手段４の上記回動移動爪４ｃの破損等の操作の障害を自動的に排除するだけでなく、上記カール押さえ手段４の回動移動爪４ｃを付勢する付勢バネ等が不要となり部品数も少なくなり、更に、上記カール押さえ手段４の回動移動爪４ｃの直下まで用紙（Ｐ）の積載が可能となり小型で簡単な構造で低コストの上記給紙装置０を提供することが出来るようになった。
【００１４】
図８において、上記給紙装置０を備えた画像形成装置５０のデジタル複写機は、周知の電子写真方式が用いられ、内部に上記画像担持体５１のドラム状感光体を備えている。
上記画像担持体５１のドラム状感光体の周囲には図示の矢印Ｎ方向の回転方向に沿って、電子写真複写行程を実施する帯電器５４、露光手段５５、現像手段５２、転写手段５３、クリーニング手段５６等が配置されている。
上記露光手段５５は、装置本体５０ａ上面の原稿載置台５７に載置された原稿の読み取り手段５８によって読み取られた画像信号を基に上記画像担持体５１のドラム状感光体上に静電潜像を形成する。
上記画像担持体５１のドラム状感光体上に形成された静電潜像は、上記現像手段５２によって顕像化されてトナー像が形成される。
上記画像担持体５１のドラム状感光体上に形成されたそのトナー像は、上記給紙装置０から給送されてくる被転写体（Ｐ）の転写紙に上記転写手段５３によって静電転写される。
トナー像が転写された被転写体（Ｐ）の転写紙は、定着手段５９に搬送、定着された後に、排紙トレイ６０へ排出されて収納されるようになっている。
従って、被転写体（Ｐ）の転写紙搬送上の不具合の発生を防止するための積載される被転写体（Ｐ）の端部カーリングを押さえる上記カール押さえ手段４が上記給紙トレイ１に配置されても、積載する被転写体（Ｐ）の転写紙をセットする際の上記カール押さえ手段４を避けたり、上記カール押さえ手段４の破損等の操作の障害を自動的に排除する簡単な構造で低コストの上記給紙装置０からなる画像形成装置５０を提供することが出来るようになった。
【００１５】
【発明の効果】
本発明は、以上説明したように構成されているので、請求項１の発明によれば、装置本体に保持される給紙トレイ内の底板で給紙位置に上昇する用紙の、用紙搬送方向と直交する積載位置を規制する規制部材の規制面側から用紙の積載面側の積載される用紙の最大積載高さより上部に出没するカール押さえ手段で積載された用紙の端部カーリングを押さえて給紙するようにしたので、用紙搬送上の不具合の発生を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を排除する低コストの給紙装置を提供することが出来るようになった。請求項２の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段で積載された用紙の端部カーリングを押さえると共にカール押さえ手段は当接部に積載される用紙の当接により出没駆動されて給紙するようにしたので、用紙搬送上の不具合の発生を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を自動的に排除する低コストの給紙装置を提供することが出来るようになった。請求項３の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段で積載された用紙の端部カーリングを押さえると共にカール押さえ手段は付勢手段により積載される用紙の端部のカーリングを押さえる方向に付勢して給紙するようにしたので、用紙搬送上の不具合の発生を防止するための積載される用紙の端部カーリングを押さえるカール押さえ手段が給紙トレイ上に配置されても、積載する用紙をセットする際のそのカール押さえ手段を避けたりそのカール押さえ手段の破損等の操作の障害を自動的に排除する低コストの給紙装置を提供することが出来るようになった。
【００１６】
請求項４の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の積載される用紙のセット時に当接部に当接する積載される用紙の出没駆動により規制面と同一面になるように回動する回動爪で積載された用紙の端部カーリングを押さえて給紙するようにしたので、用紙搬送上の不具合の発生を防止するための積載される用紙の端部カーリングを押さえるカール押さえ手段の回動爪が給紙トレイ上に配置されても、積載する用紙をセットする際のそのカール押さえ手段の回動爪を避けたりそのカール押さえ手段の回動爪の破損等の操作の障害を自動的に排除する低コストの給紙装置を提供することが出来るようになった。
請求項５の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の積載される用紙のセット時に当接部に当接する積載される用紙の出没駆動により規制面と同一面になるように回動する回動爪で積載された用紙の端部カーリングを押さえると共に回動爪は回動軸と付勢バネからなり回動して給紙するようにしたので、用紙搬送上の不具合の発生を防止するための積載される用紙の端部カーリングを押さえるカール押さえ手段の回動爪が給紙トレイ上に配置されても、積載する用紙をセットする際のそのカール押さえ手段の回動爪を避けたり、そのカール押さえ手段の回動爪の破損等の操作の障害を自動的に排除する簡単な構造で低コストの給紙装置を提供することが出来るようになった。
請求項６の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の揺動爪の積載される用紙のセット時に当接部に当接する積載される用紙の出没駆動により規制面と同一面になるように揺動する揺動爪で積載された用紙の端部カーリングを押さえて給紙するようにしたので、用紙搬送上の不具合の発生を防止するための積載される用紙の端部カーリングを押さえるカール押さえ手段の揺動爪が給紙トレイ上に配置されても、積載する用紙をセットする際のそのカール押さえ手段の揺動爪を避けたりそのカール押さえ手段の揺動爪の破損等の操作の障害を自動的に排除するだけでなく、カール押さえ手段の揺動爪の直下まで用紙の積載が可能となり小型で簡単な構造で低コストの給紙装置を提供することが出来るようになった。
【００１７】
請求項７の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の揺動爪の積載される用紙のセット時に当接部に当接する積載される用紙の出没駆動により規制面と同一面になるように回動する揺動爪で積載された用紙の端部カーリングを押さえると共に揺動爪は揺動部材と付勢バネからなり揺動して給紙するようにしたので、用紙搬送上の不具合の発生を防止するための積載される用紙の端部カーリングを押さえるカール押さえ手段の揺動爪が給紙トレイ上に配置されても、積載する用紙をセットする際のそのカール押さえ手段の揺動爪を避けたりそのカール押さえ手段の揺動爪の破損等の操作の障害を自動的に排除するするだけでなく、カール押さえ手段の揺動爪の直下まで用紙の積載が可能となり小型で簡単な構造で低コストの給紙装置を提供することが出来るようになった。
請求項８の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の回動移動爪の積載される用紙のセット時に当接部に当接する積載される用紙の出没駆動により規制面と同一面になるように回動すると共に上下に移動する回動移動爪で積載された用紙の端部カーリングを押さえて給紙するようにしたので、用紙搬送上の不具合の発生を防止するための積載される用紙の端部カーリングを押さえるカール押さえ手段の回動移動爪が給紙トレイ上に配置されても、積載する用紙をセットする際のそのカール押さえ手段の回動移動爪を避けたりそのカール押さえ手段の回動移動爪の破損等の操作の障害を自動的に排除するだけでなく、カール押さえ手段の回動移動爪を付勢する付勢バネ等が不要となり、更に、カール押さえ手段の回動移動爪の直下まで用紙の積載が可能となり小型で簡単な構造で低コストの給紙装置を提供することが出来るようになった。
【００１８】
請求項９の発明によれば、装置本体に保持される給紙トレイ内の底板で給紙位置に上昇する用紙の積載位置を規制する規制部材の規制面側から用紙の積載面側の積載される用紙の最大積載高さより上部に出没するカール押さえ手段の回動移動爪の積載される用紙のセット時に当接部に当接する積載される用紙の出没駆動により規制面と同一面になるように回動移動爪で積載された用紙の端部カーリングを押さえると共に回動移動爪は回動移動軸と溝からなり回動移動軸を中心に回動すると共に回動移動軸が溝に嵌合して上下に移動して給紙するようにしたので、用紙搬送上の不具合の発生を防止するための積載される用紙の端部カーリングを押さえるカール押さえ手段の回動移動爪が給紙トレイ上に配置されても、積載する用紙をセットする際のそのカール押さえ手段の回動移動爪を避けたりそのカール押さえ手段の回動移動爪の破損等の操作の障害を自動的に排除するだけでなく、カール押さえ手段の回動移動爪を付勢する付勢バネ等が不要となり部品数も少なくなり、更に、カール押さえ手段の揺動爪の直下まで用紙の積載が可能となり小型で簡単な構造で低コストの給紙装置を提供することが出来るようになった。
請求項１０の発明によれば、形成画像を担持する画像担持体上に形成された静電潜像を顕像化してトナー像を形成する現像手段で形成されたトナー像を被転写体に転写する転写手段の転写位置に請求項１乃至９に記載の給紙装置により被転写体の転写紙を給紙して画像を形成するようにしたので、被転写体の転写紙搬送上の不具合を防止するための積載される転写紙の端部カーリングを押さえるカール押さえ手段が給紙トレイに配置されても、積載する被転写体の転写紙をセットする際のカール押さえ手段を避けたり、カール押さえ手段の破損等の操作の障害を自動的に排除する簡単な構造で低コストの給紙装置からなる画像形成装置を提供することが出来るようになった。
【図面の簡単な説明】
【図１】本発明の実施の形態例を示す給紙装置の概略を説明する説明図である。
【図２】本発明の実施の形態例を示す給紙装置の主要部を説明する拡大斜視図である。
【図３】本発明の実施の形態例を示す給紙装置の他の主要部の状態を説明する拡大断面図である。
【図４】本発明の実施の形態例を示す給紙装置の他の主要部の他の状態を説明する拡大断面図である。
【図５】本発明の他の実施の形態例を示す給紙装置の主要部を説明する拡大斜視図である。
【図６】本発明の他の実施の形態例を示す給紙装置の主要部を説明する拡大斜視図である。
【図７】本発明の他の実施の形態例を示す給紙装置の主要部の他の状態を説明する拡大断面図である。
【図８】本発明の実施の形態例を示す給紙装置からなる画像形成装置を説明する説明図である。
【図９】従来の給紙装置の主要部を説明する斜視図である。
【符号の説明】
０  給紙装置  ０ａ  装置本体、
０ｂ  装着口
１  給紙トレイ
２  底板
３  規制部材，３ａ  規制面、
３ｂ  窪み、
３ｃ  貫通孔、
３ｄ  切り込み
４  カール押さえ手段、４ａ  回動爪、４ａ1  回動軸、
４ｂ  揺動爪、４ｂ1  揺動部材、
４ｃ  回動移動爪、４ｃ1  回動移動軸
５  当接部、５ａ  当接面、
５ｂ  当接面、
５ｃ  当接面
６  付勢手段、６ａ  付勢バネ、
６ｂ  付勢バネ、
６ｃ  溝
７  エンドフエンス
８  フイードローラ
９  分離板
５０  画像形成装置、５０ａ  装置本体
５１  画像担持体
５２  現像手段
５３  転写手段
５４  帯電手段
５５  露光手段
５６  クリーニング手段
５７  原稿載置台
５８  原稿の読み取り手段
５９  定着手段
６０  排紙トレイ
１００  給紙装置
１０１  給紙トレイ
１０２  底板
１０３  規制部材，１０３ａ  規制面
１０４  コーナ爪
【図１】
0003940532.tif 000002
【図２】
0003940532.tif 000003
【図３】
0003940532.tif 000004
【図４】
0003940532.tif 000005
【図５】
0003940532.tif 000006
【図６】
0003940532.tif 000007
【図７】
0003940532.tif 000008
【図８】
0003940532.tif 000009
【図９】
0003940532.tif 000010